(57)【要約】【課題】安全帯を装着した上からでも着用することができる衣服を提供する。【解決手段】安全帯を装着した上に着用する衣服１０であって、衣服１０の後身頃１２に設けられた略Ｖ字状の第１スリット部３１と、第１スリット部３１を開閉可能とする開閉部材３２ａ，３３ａと、を有する通し部２０を備え、開閉部材３２ａ，３３ａを開いて略三角形状の返し片４１を捲ることにより、後身頃１２の一部を開口することができるように構成した。【選択図】図１
2018080412.tif 000002
【特許請求の範囲】
【請求項１】
安全帯を装着した上に着用する衣服であって、
前記衣服の身頃に設けられた略Ｖ字状の第１スリット部と、
前記第１スリット部を開閉可能とする開閉部材と、を有する通し部を備え、
前記開閉部材を開いて略三角形状の返し片を捲ることにより、前記身頃の一部を開口することができるように構成した、ことを特徴とする衣服。
【請求項２】
前記開閉部材は、
前記第１スリット部の一端部から略中央部を開閉可能とする係着具と、
前記第１スリット部の他端部から略中央部を開閉可能とする係着具である、ことを特徴とする請求項１に記載の衣服。
【請求項３】
前記通し部は、
前記第１スリット部の中央部から、該第１スリット部から離れるように延びる第２スリット部を有する、ことを特徴とする請求項１又は請求項２に記載の衣服。
【請求項４】
前記第２スリット部を開閉可能とする開閉部材を備えた、ことを特徴とする請求項３に記載の衣服。
【請求項５】
前記開閉部材は、ファスナー又は面ファスナーである、ことを特徴とする請求項１乃至４のいずれか１つに記載の衣服。
【請求項６】
前記通し部を内側から覆うカバー部を、さらに備え、
前記カバー部は、開口可能な明き部又は／及び開放可能な開放部を有する、ことを特徴とする請求項１乃至５のいずれか１つに記載の衣服。
【発明の詳細な説明】
【技術分野】
【０００１】
本発明は、体温調節や演出のために着用する衣服に関し、特に、墜落の虞のある場所での作業や演技のためにハーネス型安全帯を装着した場合でも、その上に着用することのできる衣服に関する。
【背景技術】
【０００２】
従来、高所など墜落の虞のある場所で作業をする際には、作業者を危険から守るために安全帯の装着が義務付けられている。近年においては、腰ベルト型安全帯に替えて、墜落時の荷重を分散させることのできるハーネス型安全帯が用いられることが多くなっている。しかし、ハーネス型安全帯は装着した際にランヤード（命綱）が背中の中央上部に取り付けられるので、冬場や寒冷地での作業の際には、上着等の防寒服を着用することができないという問題があった。
【０００３】
このような問題を解決するために、例えば、特許文献１の「作業服」が提案されている。この「作業服」は、前身頃と後身頃を少なくとも備えた、防寒のために着用する作業服であって、後身頃の幅方向中央部に、作業者が装着したハーネス型安全帯の本体部（作業者の身体を包むためのベルトなどからなる部分）に設けられている係止具（Ｄ環など）を挿通可能とする開孔が形成されているものである。開孔により係止具を作業服の外側へ露出してランヤードを係止できるようにしたものである。また、開孔の周囲は見栄えが損なわれることのないように玉縁仕上げされており、これによって作業服の内側から外側へ空気が抜け難くなっている。
【０００４】
また、近年の猛暑対策として着用される空調服であって、装着したハーネス型安全帯の上に着用して使用することができるものとして、例えば、特許文献２の「ハーネス型安全帯の着用可能な空調服」が提案されている。この空調服は、空調機構と備え、ファンを駆動することにより、外気を空調服内に取り入れ、袖口或いは首周りから排出する空調服であって、空調服の背中部分に命綱取出し用の先端の開口した取出し筒を設けたものである。この取出し筒の先端を密封可能に構成することにより、開口を塞いで空気が漏れて冷却効率を損なうことを防ぐものである。
【先行技術文献】
【特許文献】
【０００５】
【特許文献１】実用新案登録第３１９７２００号公報
【特許文献２】実用新案登録第３１９８７７８号公報
【発明の概要】
【発明が解決しようとする課題】
【０００６】
しかしながら、特許文献１に記載の「作業服」は、開孔が直線状であるため、本体部を装着した際に係止具（Ｄ環など）の位置が上又は下にずれてしまうと、開孔から係止具が上手く取り出せないという不具合があった。また、作業服の開孔部分が係止具によって固定されてしまうので、肩や腕が動かしにくくなるという虞もあった。特許文献２の「ハーネス型安全帯の着用可能な空調服」では、取出し筒内に指先や手を差し入れなければならないので、ランヤードを係止具に着脱しにくく、また、ハーネス型安全帯の使用後には取出し筒を収納するのに手間がかかるという問題があった。
【０００７】
本発明は、上記問題点を解決するためになされたものであり、ランヤードなどの部材を容易に着脱又は挿通することができる開閉可能な開口部を有する衣服を提供することを目的としている。
【課題を解決するための手段】
【０００８】
本発明の衣服は、
安全帯を装着した上に着用する衣服（１０，１０１，１０２，６０）であって、前記衣服の身頃（１２）に設けられた略Ｖ字状の第１スリット部（３１）と、前記第１スリット部を開閉可能とする開閉部材（３２ａ，３３ａ）と、を有する通し部（２０，２０１，２０２）を備え、前記開閉部材を開いて略三角形状の返し片（４１）を捲ることにより、前記身頃の一部を開口することができるように構成した、ことを特徴とする。
【０００９】
前記開閉部材（３２ａ，３３ａ）は、前記第１スリット部の一端部から略中央部を開閉可能とする係着具（３２ａ）と、前記第１スリット部の他端部から略中央部を開閉可能とする係着具（３３ａ）とすることができる。
また、前記通し部（２０，２０２）は、前記第１スリット部（３１）の中央部から、該第１スリット部（３１）から離れるように延びる第２スリット部（３５）を有するものとしてもよい。
さらに、前記第２スリット部（３５）を開閉可能とする開閉部材（３６ａ）を備えた構成とすることもできる。
【００１０】
前記開閉部材（３２ａ，３３ａ，３６ａ）は、ファスナー又は面ファスナーとしてもよい。
また、前記通し部（２０）を内側から覆うカバー部（７０）を、さらに備え、前記カバー部は、開口可能な明き部（８５）又は／及び開放可能な開放部（９７ｙ）を有する構成としてもよい。
なお、上述した各手段については、実施例で示した構成要素との対応（符号）を明示しているが、明示した構成に限定されず、発明の要旨を逸脱しない範囲で種々変更が可能であるのは勿論である。
【発明の効果】
【００１１】
本発明の衣服によれば、略Ｖ字状の第１スリット部と、それを開閉可能とする開閉部材とを有する通し部を備えた構成とすることにより、身頃に上下幅を有する開口である開口部を作ることができるので、ハーネス型安全帯の本体部にランヤードを容易に着脱することができる。
【図面の簡単な説明】
【００１２】
【図１】実施例１の作業服を示す概略正面図である。
【図２】実施例１の作業服のランヤード通し部を説明するための拡大図である。
【図３】実施例１の作業服について、ハーネス型安全帯係止具にランヤードを取り付ける手順について説明する概略説明図であり、（ａ）は左右ファスナーを開けた状態、（ｂ）は上返し片を捲り上げた状態、（ｃ）は上返し片、右下返し片及び左下返し片を捲り上げた状態、（ｄ）はランヤードを取り付けた後に左右ファスナーを閉めた状態を示す。
【図４】実施例１の変形例１の作業服のランヤード通し部を拡大した拡大背面図である。
【図５】実施例１の変形例２の作業服のランヤード通し部を拡大した拡大背面図である。
【図６】実施例２の空調服のカバー部を示す概略図であり、（ａ）は正面図、（ｂ）は背面図である。
【図７】図６（ａ）のＸ−Ｘ線における拡大断面図であり、カバー部にロープ部を通す前の状態を示す。
【図８】実施例２の空調服の外側カバー部の明き部を開けた状態を模式的に示す概略正面図である。
【図９】図６（ａ）のＸ−Ｘ線における拡大断面図であり、カバー部にロープ部を通した状態を示す。
【発明を実施するための形態】
【００１３】
本発明の作業服の実施の形態を図面に基づいて説明する。
【実施例１】
【００１４】
まず、実施例１の衣服１０について説明する。なお、以下の説明においては、着用された作業服１０を背面側から視認した状態を基本として、上下左右などの方向を示している。なお、本実施例では、衣服１０の一例として作業服１０を用いて示している。
図１は、作業服１０を示す概略正面図である。図２は、作業服１０のランヤード通し部２０を説明するために、図１の二点鎖線部分を拡大した拡大図である。なお、図３、図４においては、この二点鎖線を省略して図示している。
【００１５】
作業服１０は、図１に示すように、前身頃１１と後身頃１２と両袖１３と襟１４とを備えたものであり、後述するランヤード通し部（通し部）２０により、作業者がハーネス型安全帯を装着した際でもその上に着用することができるものである。ランヤード通し部２０は、その中心線が作業服１０の後身頃１２の中心線と同一直線となるように、後身頃１２の上部（着用者の背中部分）に設けられている。
【００１６】
ランヤード通し部２０は、図２に示すように、後身頃１２に略Ｙ字状のスリット部２１を形成することにより設けられており、スリット部２１の上側の、ランヤードを着脱する際に開閉する開閉部（第１スリット部）３１と、スリット部２１の下側の、ランヤードのロープ部１０４（図３（ｄ）参照）を通すための開孔部（第２スリット部）３５とからなる。具体的には、スリット部２１は、開閉可能な略Ｖ字状の開閉部３１と、この開閉部３１の中央３１ａ（Ｖ字の下端部）から下方へ切り込むように形成され、開閉部３１を閉じた際に略Ｉ字状の長孔となる開孔部３５とを備えている。なお、スリット部２１の周縁である周縁部２１ａは、玉縁仕上げがなされている。
【００１７】
開閉部３１は、図２に示すように、右側の右側開閉部３２と左側の左側開閉部３３とからなり、右側開閉部３２は右上がりに傾斜した直線状であり、左側開閉部３３は左上がりに傾斜した直線状となっている。右側開閉部３２及び左側開閉部３３は、スリット部２１のＶ字状部分を開閉可能とするための開閉部材が取り付けられており、本実施例においては、開閉部材として、後身頃１２の裏面側から右ファスナー（右係着具）３２ａ及び左ファスナー（左係着具）３３ａが、上述の玉縁仕上げの際に縫い付けられている。なお、右ファスナー３２ａ及び左ファスナー３３ａは、その上止ｘが開閉部３１の中央側となるように、かつ、スライダーｙの引手が、後身頃１２の表面側となるように縫い付けられている。
【００１８】
開孔部３５は、上述したハーネス型安全帯本体部１０１の係止具１０２にランヤード１０３を取り付けた際に、そのロープ部１０４を挿通するために設けられており（図９参照）、本実施例においては、上下方向に延びた長孔として設けられている。
また、開孔部３５の上下幅は、ロープ部１０４の太さ（幅）などを考慮して、これと略同じ大きさとなるように形成されているが、これに限らず、その上下幅や左右幅を、ロープ部１０４の断面よりも一回り（例えば、径又は幅を０．１〜３０ｍｍ）大きく形成するなど、適宜、その大きさや形状を変更してもよいが、防寒性などを考慮して服内の空気の逃げや外気の侵入を減らし、ロープ部１０４を通した状態で作業者が作業する際にその動きを制限することのないように形成することが望ましい。
【００１９】
上述のような構成により、右ファスナー３２ａ（右側開閉部３２）及び左ファスナー３３ａ（左側開閉部３３）を閉じた状態とした際には、開孔部３５のみが小さく開口していることとなるので、ハーネス型安全帯を使用していないときでも、作業服１０内部に外気が侵入しにくく、防寒性を高めることができる。
【００２０】
また、詳細は後述するが、右ファスナー３２ａ及び左ファスナー３３ａを開いた状態とした際には、ランヤード通し部２０は、略Ｙ字状のスリット部２１（右側開閉部３２、左側開閉部３３及び開孔部３５）によって後身頃１２の一部（上部中央）を放射状に分断し、フラップ状に捲ることのできる３つの三角形状の返し片４１，４２，４３（図３（ｃ）参照）を形成する。具体的には、右側開閉部３２と左側開閉部３３に挟まれた逆三角形（逆二等辺三角形）状の上返し片４１と、右側開閉部３２と開孔部３５に挟まれた三角形状の右下返し片４２と、左側開閉部３３と開孔部３５に挟まれた三角形状の左下返し片４３とが形成され、これらの一部又は全部を捲ることにより、後身頃１２に略逆二等辺三角形状の孔である開口部４０の一部又は全部を、開閉自在に開口させることができる。
【００２１】
次に、ランヤード通し部２０の使用方法について説明する。
図３は、ハーネス型安全帯の係止具１０２（Ｄ環など）にランヤード１０３を取り付ける手順について説明する概略説明図であり、（ａ）は図２に示した状態から左右ファスナー３２ａ，３３ａを開けた状態、（ｂ）は上返し片４１を捲り上げて、ランヤード通し部２０の開口部４０の一部を開いた状態、（ｃ）はさらに右下返し片４２及び左下返し片４３それぞれを斜め下方に捲って、ランヤード通し部２０の開口部４０の全部を開いた状態、（ｄ）はランヤード１０３を取り付けた後に左右ファスナー３２ａ，３３ａを閉めた状態を示す。なお、図３（ｂ）、（ｃ）における二点鎖線は、ハーネス型安全帯本体部１０１の係止具（Ｄ環）１０２を示し、図３（ｄ）における二点鎖線は、ランヤード１０３のロープ部１０４を示している。また、図３（ｃ）における破線は、開口部４０の開口範囲の拡大を説明するために、右下返し片４２及び左下返し片４３を捲る前の位置を示すものである。
【００２２】
ハーネス型安全帯本体部１０１を身体に装着し、作業服１０を着用した着用者は、まず、図３(ａ)に示すように、図２の状態から、右側開閉部３２及び左側開閉部３３（右ファスナー３２ａ及び左ファスナー３３ａ）を開く。
【００２３】
そして、図３（ｂ）に示すように、上返し片４１を捲り上げて、ランヤード通し部２０の開口部４０の一部を略逆二等辺三角形状に開いて係止具１０２の一部又は全部を露出させ、この係止具１０２にランヤード（図示せず）を取り付ける。この際、必要に応じて（例えば、図３（ｃ）に示すように、係止具１０２の位置が図３（ｂ）に示す位置よりも下方である場合）、右下返し片４２及び左下返し片４３をさらに斜め下方に捲ることにより、さらに大きく開口部４０を拡げて（開口部４０の全部を開いて）、係止具１０２の一部又は全部を露出させることができる。なお、上述の説明では、左右ファスナー３２ａ，３３ａの両方を開けて開口部４０の一部又は全部である略逆二等辺三角形状の孔を開口させているが、これに限らない。ランヤードが着脱できるように、左右ファスナー３２ａ，３３ａのうちの少なくとも１つを開けて、返し片４１，４２，４３のうちの少なくとも１つを捲ることにより、開口部４０を開口すればよい。例えば、図示は省略するが、左ファスナー３３ａのみを開けて、左下返し片４３を略斜め下方に捲ることにより、係止具１０２の一部を露出させてランヤードを取り付けることも可能である。
【００２４】
係止具１０２にランヤード１０３を取り付けたら、図３（ｄ）に示すように、開孔部３５にロープ部１０４を通し、係止具１０２を後身頃１２の内側に収めるようにして右ファスナー３２ａ及び左ファスナー３３ａを閉じる。なお、右ファスナー３２ａ及び左ファスナー３３ａを閉じる量（長さ）は、ロープ部１０４の太さや幅に応じて、適宜調節することができる。なお、係止具１０２からランヤード１０３を取り外す際には、上述の手順を逆の順序で行えばよい。
【００２５】
実施例１の作業服１０は、後身頃１２の上部中央に、開閉可能なＶ字状の開閉部３１を有するランヤード通し部２０を備えているので、簡単に係止具１０２の一部又は全部を露出させることが可能であり、容易にランヤード１０３を取り付けることができる。特に、Ｖ字状の開閉部３１を設けたことにより開口部４０が上下幅を有するので、ハーネス型安全帯１０１の装着した際に係止具１０２の位置が上下にずれた場合でも対応可能である。また、ランヤード通し部２０は、Ｉ字状の開孔部３５を備えているので、Ｖ字状の開閉部３１のみの場合よりも開口部４０を適宜拡げることができるので、係止具１０２のずれがより大きかった場合でも対応可能である。
【００２６】
開閉部３１は、左右ファスナー３２ａ，３３ａにより開閉可能に構成されているので、左右ファスナー３２ａ，３３ａを開いて簡単に開口部４０を開けることができる。ランヤードを取り付けた後には、左右ファスナー３２ａ，３３ａを閉じて開口部４０を閉めるが、開孔部３５の開口がロープ部１０４により塞がれるので、外気の侵入や体温の逃げなどを防ぐことができる。また、開閉部３１を閉じた際には、開孔部３５にランヤードのロープ部１０４が移動自在に挿通されるので、ロープ部１０４が作業者の腕や肩の動きに合わせて適宜動き、作業服が引き攣れる虞を減らすことができる。なお、ファスナー３２ａ，３３ａは目の詰まったコイルファスナーなどを使用して防寒性などに優れたものとすることが好ましい。
【００２７】
次に、実施例１の作業服１０の変形例である作業服１０１及び作業服１０２について、図面を参照して説明する。なお、作業服１０と、作業服１０１及び作業服１０２とは、後身頃１２の上部中央に設けられるランヤード通し部２０，２０１，２０２の構成のみが異なる。
図４は、作業服１０１に設けられたランヤード通し部２０１を拡大した拡大背面図であり、図５は、作業服１０２に設けられたランヤード通し部２０２を拡大した拡大背面図である。以下、作業服１０のランヤード通し部２０と同様の形状、構成については、同様の符号又は／及び同様の名称を付す等して重複する説明を省略し、異なる部分についてのみ説明する。
【００２８】
作業服１０１のランヤード通し部２０１は、後身頃に略Ｖ字状のスリット部２１ｂを形成することにより設けられており、ランヤード通し部２０１は、開閉可能なＶ字状の開閉部（第１スリット部）３１から構成され、開孔部（第２スリット部）３５は設けられていない。
【００２９】
その使用方法は、ランヤード１０３を係止具１０２に取り付けるまでは、実施例１の作業服１０（段落００２１〜００２４、図３参照）と同様である。ランヤード１０３を係止具１０２に取り付けた後は、図示は省略するが、作業服１０１では、右ファスナー３２ａ及び左ファスナー３３ａの間（開閉部３１の中央）の間隙３１aに、ランヤード１０３のロープ部１０４を通すようにして、右ファスナー３２ａ及び左ファスナー３３ａを閉じる。また、例えば、ロープ部１０４が太い場合などは、右ファスナー３２ａ及び左ファスナー３３ａの閉じる量を少なく（閉じる長さを短く）して上返し片４１の下端部４１ａが捲ることで、ロープ部１０４の断面が間隙３１ｂよりも大きくても、開閉部３１の中央部分にロープ部１０４を通す空間を確保することができる。なお、左右ファスナー３２ａ，３３ａの閉じる量を適宜調節することにより、上返し片４１の下端部４１ａが捲れる量を変更することができる。
【００３０】
作業服１０の変形例である作業服１０１によれば、作業服１０と同様の構成による同様の効果があるのは勿論であり、その他に、以下のような効果がある。ランヤード通し部２０１は、開孔部３５を備えないので、製造工程を少なくして製作できるので、製造コストなどを抑えることが可能である。また、ランヤード１０３を取り付けずに作業する際には、開孔部３５を備えていないので、外気の侵入や体温の逃げを少なくすることができる。なお、ランヤード通し部２０１は、上方が開いた略Ｖ字形状となるように設けられているが、これに限らず、Ｖ字を傾けたように設けたり、上下逆となるように設けたりすることもでき、少なくとも係止具１０２の一部が露出可能となるように設けてあればよい。
【００３１】
作業服１０２のランヤード通し部２０２は、作業服１０における開孔部３５に、後身頃１２の裏面側から下ファスナー（下係着具）３６ａを縫い付けて、開閉可能な下開閉部３６とした構成となっている。なお、下ファスナー３６ａは、ロック機能を有するスライダーｚを備えている。
【００３２】
その使用方法は、ランヤード１０３を係止具１０２に取り付けるまでは、実施例１の作業服１０（段落００２１〜００２４、図３参照）と同様である。ランヤード１０３を係止具１０２に取り付けた後は、作業服１０２では、ロープ部１０４を持ち上げながら下ファスナー３６ａを閉じる。この際、ロープ部１０４の太さなどに応じて、適宜下ファスナー３６ａの閉じる量（長さ）を調節して、スライダーｚをロック状態にする。なお、ロープ部１０４の形状や大きさなどに応じて、実施例１の作業服１０及び変形例１の作業服１０１と同様、右ファスナー３２ａ及び左ファスナー３３ａの閉じる量（長さ）を適宜調節できる。
【００３３】
作業服１０の変形例である作業服１０２によれば、作業服１０と同様の構成による同様の効果があるのは勿論であり、その他に、以下のような効果がある。ランヤード通し部２０の開孔部３５を下開閉部３６とし開閉可能な構成としているので、係止具１０２の位置のずれにも対応でき、かつ、外気の侵入や体温の逃げを少なくすることが可能である。
【００３４】
本発明は上述した実施の構成に限定されず、ランヤード通し部２０，２０１，２０２が、Ｖ字状の開閉部３１を有する構成であれば、本発明の要旨を逸脱しない範囲で種々変更できることは勿論である。Ｖ字状の開閉部３１の全体の横幅や縦幅、Ｖ字の角度も、適宜所望の大きさに設定することができる。ランヤード通し部２０，２０１，２０２を設ける位置としては、開口部４０を開けた際に、係止具（Ｄ環など）１０２の一部又は全部を視認（又は露出）できる位置として、係止具１０２にランヤード１０３を容易に着脱できるように構成してあればよい。また、開孔部３５は、Ｖ字状の開閉部３１の中央部（谷部）から上返し片４１以外を分断するよう設けられていればよく、その形状や大きさなど、本発明の要旨を逸脱しない範囲で種々変更できる。
【００３５】
上記実施例等においては、作業服１０，１０１，１０２を、防寒を目的とした長袖の作業服として説明したが、これに限らず、ハーネス型安全帯の上から着用する衣服であればよい。また、少なくとも、ハーネス型安全帯１０１の係止具１０２に対向するように、ランヤード通し部２０，２０１，２０２を設けることのできる部分を有していればよく、例えば、ベスト型の上着やつなぎなどでもよい。また、防寒服に限らず、空調服などの衣服に設けてもよい。開閉部３５を閉じた際に開口している箇所が小さくなるように構成されているので、循環する空気の漏れを少なくすることができる。
【００３６】
上記実施例等のランヤード通し部２０，２０１，２０２は、開孔部３５や間隙３１ａなど、ロープ部１０４を通すための孔を有するように構成されているが、さらに、ランヤードを取り付けないときにこの孔を塞ぐための着脱（又は開閉）可能なカバー部材（図示は省略する）を備えた構成してもよい。また、右側開閉部３２、左側開閉部３３、下開閉部３６の開閉部材としてファスナー３２ａ，３３ａ，３６ａを使用しているが、これに限らず、面ファスナーやボタン、フックなど、スリット部２１，２１ｂの対向する箇所を開閉可能に係着できるものであればよく、２つ以上の部材を組み合わせた構成としてもよい。また、ファスナー３２ａ，３３ａを、ロック機能を有するスライダーｚを備えたものとしてもよい。
【００３７】
また、ランヤード通し部２０，２０１，２０２は、ランヤード１０３のロープ部１０４が接触する箇所（以下、接触箇所という）を補強するための補強部材を備えた構成としてもよい。例えば、実施例１の作業服１０の開孔部３５など、玉縁仕上げをする際に補強布（例えば、力布）などの補強部材を挟み込んだり、接触箇所に滑りの良い補強部材を取り付けたり、接触箇所を滑りの良い糸でかがるなどして、ロープ部１０４との摩擦を軽減することも好ましい。
【実施例２】
【００３８】
次に、本発明の実施例２の衣服６０について説明する。なお、本実施例では、衣服６０の一例として空調服６０を用いて示している。
図５は、空調服６０を示す概略背面図である。図５においては、実施例１同様、着用された空調服６０を背面側から視認した状態を基本として、上下左右などの方向を示している。また、作業服１０と同様の形状、構成については、同様の符号又は／及び同様の名称を付す等して重複する説明を省略し、主に実施例１と異なる部分であるカバー部７０について説明する。
【００３９】
空調服６０は、図５に示すように、前身頃６１と後身頃６２と両袖６３とフード６５とを備え、後身頃６２には、空気を空調服６０内部に取り込むためのファンユニットのファン６７が２つ設けられている。後身頃６２には、実施例１と同様のランヤード通し部２０が設けられており、さらに、後身頃６２にはこのランヤード通し部２０の内面側を覆うようにして、その略Ｙ字状のスリット部２１から空気が逃げるのを防ぐためのカバー部７０（縫い目７１）が縫い付けられている。なお、カバー部７０は、後述する外側カバー部８１の明き部８５の中心が、ランヤード通し部２０の中心と略重なるように配置されている。
【００４０】
図６は、空調服６０のカバー部７０（外側カバー部８１の明き部８５が閉じた状態）を示す概略図であり、（ａ）は正面図、（ｂ）は背面図である。図７は、図６（ａ）のＸ−Ｘ線における拡大断面図である。図８は外側カバー部８１の明き部８５を開けた状態を模式的に示す概略正面図である。なお、図６、図８では、カバー部７０以外の構成は、便宜上、省略している。また、図７においては、カバー部７０以外の構成として、後身頃６２及び係止具１０２を簡略化して二点鎖線で表すとともに、後身頃６２とカバー部７０の各構成の関係を明確に示すために、適宜間隔を開けるなどして模式的に図示している（後述する図９の図示においても同様である）。
【００４１】
カバー部７０は、図６、図７に示すように、外側カバー部８１と内側カバー部９１とからなる。詳細は後述するが、カバー部７０は、略同じ大きさで略矩形状の２枚の布地（外側カバー部８１の外側布８２と内側カバー部９１の内側布９２）を重ねたものである。カバー部７０は、外側カバー部８１が後身頃６２側、内側カバー部９１が空調服６０着用者の背中側となるようにして、外側カバー部８１の周縁部及び内側カバー部９１の周縁部の一部（後述する縫着部９７ｘ）が、縫い目７１により後身頃６２に縫い付けられている。また、図示は省略するが、内側布９２及び外側布８２には裁ち目かがりが施されている。
【００４２】
外側カバー部８１は、図６（ａ）、図７及び図８に示すように、略中央に開閉可能な略矩形状の明き部８５を有する外側布８２からなる。明き部８５は、外側布８２に切れ目（図示せず）を入れて、両玉縁仕上げを施したものであり、玉縁にした布地９３，９４により見返し８３ｘと持ち出し８４ｘを作りだし、これらを打合わせにすることにより片玉縁明きとなるようにして、外側布８２に縫い目７２により縫い合わせたものである。本実施例においては、明き部８５の上縁部分に見返し８３ｘを、明き部８５の下縁部分に持ち出し８４ｘを設けて、図８に示すように、片玉縁明きとなるようにしてあり、打ち合わされた見返し８３ｘと持ち出し８４ｘの両側縁部も、玉縁仕上げの縫い目７２により外側布８２に縫い止められている。また、図７に示すように、見返し８３ｘの下縁部は外側布８２の下開口縁部８５ｂよりも上方に、持ち出し８４ｘの上縁部は外側布８２の上開口縁部８５ａよりも下方に位置するように形成されており、外側カバー部８１は、ロープ部１０４を通しやすい構造となっている（図９参照）。
【００４３】
内側カバー部９１は、図６（ｂ）、図７に示すように、外側カバー部８１の明き部８５を略簾状に覆うように設けられた略矩形状の内側布９２であり、内側布９２の上縁部分９７ａが外側カバー部８１の明き部８５の上側で、外側布８２及び後身頃６２に縫い付けられている。また、本実施例では、内側布９２の左縁部分９７ｂ（図６（ｂ）においては右縁部分）と右縁上側部分９７ｃ（図６（ｂ）においては左縁上側部分）も外側布８２及び後身頃６２に縫い付けられている。このように、内側布９２（内側カバー部９１）の周縁部９７は、その一部分が外側布８２及び後身頃６２に縫い付けられた縫着部９７ｘとなっており、その他の部分が外側布８２及び後身頃６２に縫い付けられていない開放された開放部９７ｙとなっている。
【００４４】
また、カバー部７０は、図６（ｂ）、図７などに示すように、外側カバー部８１（外側布８２）と内側カバー部９１（内側布９２）とを縫い止めた縫止部７３を有している。この縫止部７３は、明き部８５の縫い目７２の上縁部及び両側縁部に沿うようにして、内側布９２を外側布８２に縫い止めたものであり、明き部８５を開けた際に内側布９２が外側布８２と一体的に上方にたくし上げられるようにしたものである。
【００４５】
次に、カバー部７０の使用方法について簡単に説明する。
図９は、図６（ａ）のＸ−Ｘ線における拡大断面図であり、ランヤード通し部２０とカバー部７０にロープ部１０４を通した状態を示すものである。
【００４６】
ハーネス型安全帯本体部１０１を装着し、空調服６０を着用した着用者は、実施例１と同様、ランヤード通し部２０の開口部４０の一部又は全部を開く（図３参照）。開口部４０の開口により、現れた外側カバー部８１の明き部８５を開け（図８参照）、さらに、明き部８５を開けたことにより現れる内側カバー部９１（内側布９２）を上方に捲るようにしてたくし上げることにより、ハーネス型安全帯本体部１０１の係止具１０２の一部（又は全部）を露出させることができる。この係止具１０２にランヤード１０３（ロープ部１０４基端側の連結具１０５）を取り付けたら、図９に示すように、そのロープ部１０４が弛むようにして、たくし上げられた内側カバー部９１を元の状態に戻し、外側カバー部８１の明き部８５を閉める。その後は、実施例１と同様、ロープ部１０４をランヤード通し部２０の開孔部３５などに通して開閉部３１を閉じると、図９に示すように、係止具１０２にランヤード１０３を取り付けつつ、後身頃６２のランヤード通し部２０からファン６７によって取り込まれた空気が逃げるのを防ぐことができる。
なお、係止具１０２からランヤード１０３を取り外す際には、上述の手順を逆の順序で行えばよい。
【００４７】
実施例２の空調服６０は、実施例１の作業服１０と同様の構成（ランヤード通し部２０）によりこれらと同様の効果があるのは勿論であり、その他に、以下のような効果がある。後身頃１２に設けられたランヤード通し部２０の全体を覆うように後身頃１２の内側にカバー部７０を設けることにより、ロープ部１０４を通した状態でも空気の漏れを少なくすることができ、空調服６０の冷却効果を維持することが可能である。
【００４８】
外側カバー部８１は片玉縁明きとなるように構成されているので、明き部８５を開けても手を離すと自然と閉じる構成となっており、打ち合わせ構造により空気の漏れをより効果的に防ぐことができる。また、ランヤード通し部２０の開口部４０と明き部８５の開口とが略同じ幅となるように、外側カバー部８１の明き部８５の横幅は、ランヤード通し部２０の横幅よりも大きく形成されている（図５参照）。さらに、ランヤード通し部２０と明き部８５とは、それぞれを開口した際に開口が連通するような位置に設けられているので、ランヤード１０３を取り付ける際に十分な開口を作ることができる。
【００４９】
内側カバー部９１は、縫着部９７ｘ（上縁部分９７ａ）により、外側カバー部８１の明き部８５及びランヤード通し部２０の開孔部３５の内側に、これらを塞ぐように略簾状に設けられているので、空気の漏れを防ぐことができる。特に、略密閉した状態とすることができる。また、内側カバー部９１をたくし上げれば、その開放部９７ｙから容易に係止具１０２の一部又は全部を露出させることができるので、ランヤードを簡単に取り付けることができる。さらに、カバー部７０は、たくし上げた内側カバー部９１から手を離してカバー部７０を平面状に戻すと、縫着部９７ｘの左縁部分９７ｂ又は／及び右縁上側部分９７ｃにより、たくし上げられていた開放部９７ｙが元の位置に戻るように構成されている。
【００５０】
また、内側カバー部９１は、外側カバー部８１に縫止部７３により縫い止められているので、外側カバー部８１の明き部８５を開けた際に、内側カバー部９１も一緒に上方へ動くので、たくし上げる量が少なくて済み、簡単に開放部９７ｙを開放することができる。さらに、図７などに示すように、縫止部７３を設けることにより、外側カバー部８１の持ち出し８４ｘを、外側カバー部８１の見返し８３ｘと内側カバー部９１とで挟み込む構造としているので、カバー部７０の密閉性をより高めたものとなっている。
【００５１】
本発明は上述した実施の構成に限定されず、ランヤード通し部２０の少なくとも一部を覆うように設けられ、かつ、ランヤード通し部２０の開口部４０と連通させることのできる明き部８５又は／及び開放部９７ｙを有するカバー部７０を備えた構成であれば、本発明の要旨を逸脱しない範囲で種々変更できることは勿論である。本実施例においては、カバー部７０は、外側カバー部８１と内側カバー部９１とを備えているが、少なくとも外側カバー部８１と内側カバー部９１のいずれか一方を有する構成であればよい。外側カバー部８１及び内側カバー部９１自体の大きさ（面積や長さなど）や形状、各構成の大きさや形状なども適宜変更することができる。
【００５２】
本実施例においては、後身頃１２に実施例１のランヤード通し部２０を設けているが、これに代わり、ランヤード通し部２０１又はランヤード通し部２０２を設けてもよいことは勿論である。また、カバー部７０は、例えば、空調服６０と同様の布地（生地）を用いて、空気の逃げを防ぐ機能を有するものであることが望ましい。なお、明き部８５の見返し８３ｘと持ち出し８４ｘとが接触する面には、開閉部材（例えば、面ファスナーなど）を設けてもよい。
【００５３】
ここで、上述した本発明の２つの実施形態においては、実施例１では作業服１０にランヤード通し部２０，２０１，２０２を、実施例２では空調服６０に、ランヤード通し部２０，２０１，２０２及びカバー部７０を設けているが、これらに限らず、空調服６０にランヤード通し部２０，２０１，２０２のみを設けたり、作業服１０にランヤード通し部２０，２０１，２０２とカバー部７０とを設けたりしてもよい。また、本発明の衣服は、上述した作業服１０や空調服６０に限らず、ハーネス型安全帯などの安全帯を装着した上から着用するものであればよく、例えば、つなぎ服などにも用いることができる。また、寒さ対策や暑さ対策などの体温調節のためではなく、安全帯を用いて空中を舞う演出を行う際に着用する舞台衣装などにも、適宜所望の位置にランヤード通し部２０，２０１，２０２を設けて使用することが可能である。
【００５４】
また、本発明の上述した実施形態においては、ハーネス型安全帯の本体部１０１を装着して作業服１０や空調服６０を着用した着用者に、後からランヤード１０３を着脱する場合について説明したが、必ずしも、このような使用方法に限らない。例えば、着用者が、ランヤード１０３が付いている状態のハーネス型安全帯を装着している場合には、ランヤード通し部２０，２０１，２０２やカバー部７０を用いて、予め後身頃１２，６２の内側（裏側）から外側（表側）にランヤード１０３の先端側のフック１０６（図９参照）を取り出すとともにロープ部１０４を通した状態としてから、作業服１０や空調服６０を着用すればよい。さらに、上述した実施例においては、ハーネス型安全帯のランヤードの着脱や挿通について例示したが、これに限らず、衣服において何らかの部材を通すための開口が必要なものであれば、適宜、上述した通し部２０，２０１，２０２やカバー部７０の一部又は全部を設けた構成とすることができるのは勿論である。
【産業上の利用可能性】
【００５５】
本発明の衣服は、安全帯のランヤードを通すための通し部２０，２０１，２０２やカバー部７０を設けたものであるが、何らかの部材を通すための開口が必要なものであれば、衣類に限らず様々な製品に、適宜設けて利用することができる。
【符号の説明】
【００５６】
１０                作業服（実施例１の衣服）
１０１               作業服（実施例１の変形例１の衣服）
１０２               作業服（実施例１の変形例２の衣服）
１２                 後身頃
２０，２０１，２０２ ランヤード通し部（通し部）
２１，２１ｂ         スリット部
３１                 開閉部（第１スリット部）
３２                 右側開閉部
３３                 左側開閉部
３２ａ，３３ａ       右ファスナー（右係着具），左ファスナー(左係着具)
３５                 開孔部（第２スリット部）
３６                 下開閉部
３６ａ               下ファスナー（下係着具）
４０                 開口部
４１，４２，４３     上返し片，右下返し片，左下返し片
６０                空調服（実施例２の衣服）
６２                 後身頃
７０                 カバー部
７１，７２           縫い目
７３                 縫止部
８１                 外側カバー部
８２                 外側布
８３（８３ｘ）       布地（見返し）
８４（８４ｘ）       布地（持ち出し）
８５                 明き部
８５ａ，８５ｂ       上開口縁部，下開口縁部
９１                 内側カバー部
９２                 内側布
９７ｘ               縫着部
９７ｙ               開放部
１０１               ハーネス型安全帯本体部１０１
１０２               係止具
１０３               ランヤード
１０４               ロープ部
１０５               連結具
１０６               フック
【図１】
2018080412.tif 000003
【図２】
2018080412.tif 000004
【図３】
2018080412.tif 000005
【図４】
2018080412.tif 000006
【図５】
2018080412.tif 000007
【図６】
2018080412.tif 000008
【図７】
2018080412.tif 000009
【図８】
2018080412.tif 000010
【図９】
2018080412.tif 000011